(57)【要約】      （修正有）【課題】終端処理工具は、接点への終端処理と絶縁への圧着又はストレインリリーフを提供することの両方を含む場合幾つかの工具が必要になる。【解決手段】終端処理工具２００は、ラム空洞２２０と電気コネクタ１００を収容するコネクタ空洞２２２を有するフレーム２０４を含む。駆動ハンドル２０２は、フレームに連結され開口位置と閉鎖位置との間移動可能である。主ラムアセンブリは、ラム空洞内に収容され駆動ハンドル２０２へ連結される。主ラムアセンブリは、電気コネクタと係合するように構成される。副ラムアセンブリ２４２は、ラム空洞内に収容され駆動ハンドルへ連結される。副ラムアセンブリは、電気コネクタと係合するように構成される。主ラムアセンブリと副ラムアセンブリは、駆動ハンドルが開口位置から閉鎖位置へ移動されると、駆動ハンドルによって互いに異なる主ストロークと副ストロークに沿って起動される。【選択図】図６
2014017252.tif 000002
【特許請求の範囲】
【請求項１】
終端処理工具（２００）であって、
ラム空洞（２２０）とこのラム空洞内に電気コネクタ（１００）を収容するように構成されるコネクタ空洞（２２２）を有するフレーム（２０４）と、
前記フレームに連結されると共に開口位置と閉鎖位置との間で移動可能な駆動ハンドル（２０２）と、
前記ラム空洞内に収容されると共に前記駆動ハンドルに連結され、前記電気コネクタと係合するように構成される主ラムアセンブリ（２４０）及び
前記ラム空洞内に収容されると共に前記駆動ハンドルに連結され、前記電気コネクタと係合するように構成される副ラムアセンブリ（２４２）を備え、
前記主ラムアセンブリと前記副ラムアセンブリは、前記駆動ハンドルが開口位置から閉鎖位置へ移動されると、前記駆動ハンドルによって、異なる主ストロークと副ストロークに沿って移動されることを特徴とする終端処理工具（２００）。
【請求項２】
前記副ストロークは、前記主ストロークよりも長いことを特徴とする請求項１に記載の終端処理工具（２００）。
【請求項３】
前記主ラムアセンブリ（２４０）は、前記ラム空洞（２２０）内で移動可能で前記電気コネクタ（１００）と係合するように構成される主押圧表面（２５２）を有する主ラム（２５０）を有し、前記主ラムアセンブリは、前記主ラムと前記駆動ハンドル（２０２）との間に延出する主駆動リンク（２５４）を含み、前記副ラムアセンブリ（２４２）は、前記ラム空洞内で移動可能で前記電気コネクタと係合するように構成される副押圧表面（２７２）を有する副ラム（２７０）を含み、前記副ラムアセンブリは、前記副ラムと前記駆動ハンドルとの間に延出する副駆動リンク（２８４）を含むことを特徴とする請求項１に記載の終端処理工具（２００）。
【請求項４】
前記主ラム（２５０）と前記副ラム（２７０）は、互いに平行な押圧方向（２４１、２４３）へ前記ラム空洞（２２０）内を移動可能であることを特徴とする請求項３に記載の終端処理工具（２００）。
【請求項５】
前記駆動ハンドル（２０２）は、旋回点（２２４）で前記フレーム（２０４）へ連結され、前記主ラムアセンブリ（２４０）は、前記旋回点から主モーメント距離（２６０）に前記駆動ハンドルへ連結され、前記副ラムアセンブリ（２４２）は、前記旋回点から副モーメント距離（２８８）に前記駆動ハンドルへ連結され、前記副モーメント距離は、前記主モーメント距離よりも長いことを特徴とする請求項１に記載の終端処理工具（２００）。
【請求項６】
更に、前記コネクタ空洞（２２２）内にアンビルを備え、前記アンビルは、前記電気コネクタ（１００）のストレインリリーフ（１２２）と係合するように構成されるアンビル（２４４）押圧表面（２４８）を有し、前記副ラムアセンブリ（２４２）は、前記ストレインリリーフと係合するよう構成される副押圧表面（２７２）を有し、前記副押圧表面は、前記駆動ハンドル（２０２）が前記副押圧表面と前記アンビル押圧表面との間に前記ストレインリリーフを圧着するために閉鎖位置へ移動されると、アンビル押圧表面に向かって移動されることを特徴とする請求項１に記載の終端処理工具（２００）。
【請求項７】
更に、コネクタ空洞（２２２）内にアンビル（２４４）を備え、このアンビルは、前記電気コネクタ（１００）の対応する端子（１０８）と係合するように構成されるインサータ（２４６）を有し、前記主ラムアセンブリは、前記電気コネクタをインサータに向けて押圧して端子を電気コネクタのケーブル（１０４）の対応するワイヤ（１１０）と電気接触するように押圧するように構成されることを特徴とする請求項１に記載の終端処理工具（２００）。
【請求項８】
前記副ラムアセンブリ（２４２）は、前記電気コネクタ（１００）と係合するように構成される副ラム（２７０）と副ラムに動作上連結される調節機構（２７４）を含み、前記調節機構は、前記駆動ハンドル（２０２）に対する前記副ラムの相対位置を調節することを特徴とする請求項１に記載の終端処理工具（２００）。
【請求項９】
主と副ラムアセンブリ（２４０、２４２）は、前記駆動ハンドル（２０２）が開口位置と閉鎖位置との間で移動されると、前記ラム空洞（２２０）内で異なる速度で移動可能であることを特徴とする請求項１に記載の終端処理工具（２００）。
【請求項１０】
前記主ラムアセンブリ（２４０）は、前記電気コネクタ（１００）のコネクタハウジング（１０８）に抗して押圧するように構成され、且つ前記副ラムアセンブリ（２４２）は、前記電気コネクタのストレインリリーフ（１２２）に抗して押圧するように構成されることを特徴とする請求項１に記載の終端処理工具（２００）。
【発明の詳細な説明】
【技術分野】
【０００１】
本主題は、概してワイヤを電気コネクタへ終端処理するための終端処理工具に関する。
【背景技術】
【０００２】
ワイヤを電気端子及びコネクタへ終端処理するための終端処理工具は公知である。幾つかの公知の手工具では、コネクタとワイヤは、終端処理工具へ装填され、ハンドルが押し込まれてコネクタをワイヤへ押圧して両者の電気接続を行う。例えば、コネクタは、ワイヤへ押圧されて両者の電気接続を行う接点を含む。終端処理工具は、典型的には、ハンドルが押し込まれると起動されるハンドルへ接続されるラムを含む。このラムは、コネクタと係合して、コネクタの接点をワイヤへ押圧する。
【発明の概要】
【発明が解決しようとする課題】
【０００３】
幾つかの公知の終端処理工具は、電気コネクタのケーブルへのコンポーネントの圧着を行う。このような圧着は、ケーブルがコネクタへ取り付けられる時に、ケーブルに対する更なるストレインリリーフを行うことができる。その問題は、典型的には、接点への終端処理と絶縁への圧着又はストレインリリーフを提供することの両方を含む場合のような複雑な終端処理のために、幾つかの工具が必要になることである。
【課題を解決するための手段】
【０００４】
その解決策は、ラム空洞と中に電気コネクタを収容するように構成されるコネクタ空洞を有するフレームを有する、ここで記述される終端処理工具によって提供される。駆動ハンドルは、このフレームへ連結され、開口位置と閉鎖位置との間で移動可能である。主ラムアセンブリは、ラム空洞に収容され、駆動ハンドルへ連結される。主ラムアセンブリは、電気コネクタと係合するように構成される。副ラムアセンブリは、ラム空洞に収容され、駆動ハンドルへ連結される。副ラムアセンブリは、電気コネクタと係合するように構成される。主ラムアセンブリと副ラムアセンブリは、駆動ハンドルが開口位置から閉鎖位置へ移動されると、駆動ハンドルによって異なる主ストロークと副ストロークに沿って起動される。
【０００５】
本発明は、添付図面を参照して例として記述される。
【図面の簡単な説明】
【０００６】
【図１】図１は電気コネクタを組み立てるための典型的実施の形態に従って形成された終端処理工具の斜視図である。
【０００７】
【図２】図２は典型的実施の形態に従って形成された電気コネクタの背面斜視図である。
【０００８】
【図３】図３は電気コネクタの分解図である。
【０００９】
【図４】図４は未形成状態の電気コネクタに対するストレインリリーフの正面図である。
【００１０】
【図５】図５は未形成状態のストレインリリーフの側面図である。
【００１１】
【図６】図６は開口位置にある駆動ハンドルを示す終端処理工具の横断面図である。
【００１２】
【図７】図７は閉鎖位置にある駆動ハンドルを示す終端処理工具の横断面図である。
【発明を実施するための形態】
【００１３】
図１は、例示的実施の形態に従って形成される終端処理工具２００の斜視図である。終端処理装置２００は、電気コネクタ１００のプラグ１０２を電気コネクタ１００のケーブル１０４へ終端処理するために使用される。終端処理工具２００の終端処理動作中、終端処理工具２００の駆動ハンドル２０２は、開口位置から閉鎖位置へ押し込まれる。そのような動作によってプラグ１０２がケーブル１０４へ終端処理される。
【００１４】
例示的実施の形態において、終端処理工具２００は、その終端処理工具２００の終端処理動作中に、端子１０８（図２と図３に示されている）を押圧して対応するワイヤ１１０（図３に示されている）と電気的係合状態にするために使用される。例示的実施の形態において、終端処理工具２００は、その終端処理工具２００の終端処理動作中に、電気コネクタ１００のストレインリリーフ１２２を電気コネクタ１００のコネクタハウジング１０６へ固定するために使用される。例示的実施の形態において、終端処理工具２００は、その終端処理工具２００の終端処理動作中に、ストレインリリーフ１２２をケーブルへ終端処理するために使用される。
【００１５】
終端処理工具２００は、ハンドル端部２０６とコネクタ端部２０８との間に延出するフレーム２０４を含む。駆動ハンドル２０２は、フレーム２０４のハンドル端部２０６へ連結される。駆動ハンドル２０２は、フレーム２０４に旋回可能に連結され、開口位置と閉鎖位置との間に移動可能である。
【００１６】
フレーム２０４は、中に電気コネクタ１００を収容する、コネクタ端部２０８に開口２１０を含む。例えば、プラグ１０２とケーブル１０４の両方は、この開口２１０を介して終端処理工具２００内に装填される。例示的実施の形態において、電気コネクタ１００は、装填方向２１２へ終端処理工具２００内に装填されることができる。任意ではあるが、装填方向２１２は、終端処理工具２００の長手軸２１４に対して略垂直であってもよい。駆動ハンドル２０２が閉鎖するように押し込まれると、終端処理工具２００は、電気コネクタ１００へ作用してプラグ１０２をケーブル１０４へ終端処理し且つストレインリリーフ１２２をプラグ１０２とケーブル１０４へ終端処理する。
【００１７】
図２は、例示的実施の形態に従って形成された電気コネクタの背面斜視図である。図３は、電気コネクタ１００の分解図である。電気コネクタ１００は、電気通信システムのようなデータ通信ネットワークでの使用のためのケーブルコネクタである。
【００１８】
電気コネクタ１００は、ケーブル１０４の端部へ取り付けられるモジュール式プラグ１０２を含む。終端処理工具２００（図１に示されている）は、モジュール式プラグ１０２をケーブル１０４に取り付けるために使用される。プラグ１０２は、複数の接点や端子１０８を保持するコネクタハウジング１０６を含む。端子１０８は、モジュール式ジャック（図示せず）のような嵌め合いコネクタの端子へ接続されるように構成される。端子１０８は、ケーブル１０４の対応するワイヤ１１０へ終端処理されるように構成される。例示的実施の形態において、端子１０８は、押圧方向１１４へ対応するワイヤ１１０へ押圧されて両者の電気接続を行う。
【００１９】
電気コネクタ１００は、個々のワイヤ１１０を保持し、組み付け中に、コネクタハウジング１０６へ装填されるワイヤホルダ１１２を含む。ワイヤホルダ１１２とワイヤ１１０はコネクタハウジング１０６へ位置決めされると、端子１０８は、ワイヤ１１０へ終端処理されることができる。
【００２０】
例示的実施の形態において、終端処理工具２００（図１に示される）のような終端処理工具は、端子１０８をワイヤ１１０へ終端処理するために使用されることができる。端子１０８は、モジュール式ジャックの端子との嵌め合いのためにコネクタハウジング１０６の表面に露出する嵌め合い端部１１６を有する。端子１０８の嵌め合い端部１１６は、プラグ１０２の嵌め合い端部１１８に最も近接して設けられる。ケーブル１０４は、プラグ１０２のケーブル端部１２０から延出する。
【００２１】
例示的実施の形態において、電気コネクタ１００は、ケーブル１０４とコネクタハウジング１０６に連結されてケーブル１０４に対するストレインリリーフを提供するストレインリリーフ１２２を含む。ストレインリリーフ１２２は、プラグ１０２のケーブル端部１２０に設けられる。ストレインリリーフ１２２は、コネクタハウジング１０６へ連結される。例示的実施の形態において、終端処理工具２００（図１に示される）のような終端処理工具は、ストレインリリーフ１２２をコネクタハウジング１０６へ連結するために使用される。ストレインリリーフ１２２は、ケーブル１０４へ圧着される。例示的実施の形態において、終端処理工具２００のような終端処理工具は、ストレインリリーフ１２２をケーブル１０４へ圧着するために使用される。例示的実施の形態において、同じ終端処理工具２００は、端末処理工具２００のハンドルの単一の動作中に、端子１０８をワイヤ１１０へ終端処理し、ストレインリリーフ１２２をケーブル１０４へ圧着し、且つストレインリリーフ１２２をコネクタハウジング１０６へ連結するために使用される。
【００２２】
図４は、未形成状態のストレインリリーフ１２２の正面図である。図５は、未形成状態のストレインリリーフ１２２の側面図である。ストレインリリーフ１２２は、コネクタ端部１３０とケーブル端部１３２との間に延出する。例示的実施の形態において、ストレインリリーフ１２２は、金属材料から製造される。ストレインリリーフ１２２は、終端処理工具２００（図１に示される）のような終端処理工具を使用してこのストレインリリーフ１２２がケーブル１０４とコネクタハウジング１０６へ適用されることができるように未圧着状態に打ち抜き形成される。ストレインリリーフ１２２は、他の実施の形態においてケーブル１０４へ固定されることができるように他の材料から製造されてもよい。
【００２３】
ストレインリリーフ１２２は、コネクタ端部１３０とケーブル端部１３２との間に延出する本体１３４を含む。ストレインリリーフ１２２は、コネクタ端部１３０に本体１３４から延出する取り付けタブ１３６を含む。これらの取り付けタブ１３６は、それらから延出するかかり１３８を有する。取り付けタブ１３６は、対応する開口とコネクタハウジング１０６（図２と図３に示されている）に押圧されてストレインリリーフ１２２をコネクタハウジング１０６へ取り付けるように構成されている。かかり１３８は、コネクタハウジング１０６のプラスチック材料に食い込みストレインリリーフ１２２をコネクタハウジング１０６へ固定すると共に取り付けタブ１３６のコネクタハウジング１０６の開口からの引き抜きに抗する。他のタイプの取り付け機構が他の実施の形態において使用されてストレインリリーフ１２２をコネクタハウジング１０６へ固定してもよい。
【００２４】
ストレインリリーフ１２２は、ケーブル端部１３２に圧着バレル１４０を含む。圧着バレル１４０は、圧着プロセス中ケーブル１０４の回りに巻き付けられてストレインリリーフ１２２をケーブル１０４に固定することができる一対の圧着フィンガー１４２を含む。他のタイプの機構が他の実施の形態においてストレインリリーフ１２２をケーブル１０４に固定するために使用されてもよい。非圧着状態において、圧着バレル１４０は、略Ｕ形状であり、ケーブル１０４を中に収容するために一方の側で開口している。
【００２５】
図６は、開口位置にある駆動ハンドル２０２を示す終端処理工具２００の横断面図である。図７は、閉鎖位置にある駆動ハンドル２０２を示す終端処理工具２００の横断面図である。
【００２６】
フレーム２０４は、ラム空洞２２０と中に電気コネクタ１００を収容するコネクタ空洞２２２を含む。コネクタ空洞２２２は、開口２１０を介してアクセスされる。コネクタ空洞２２２は、終端処理工具２００のコネクタ端部２０８に最も近接して位置決めされる。ラム空洞２２０は、終端処理工具２００のコンポーネントがコネクタ空洞２２２内で電気コネクタ１００に働くことができるようにコネクタ空洞２２２に開口している。
【００２７】
駆動ハンドル２０２は、旋回点２２４でフレーム２０４へ連結される。駆動ハンドル２０２は、開口２２６を含むことができ、この開口２２６を介して旋回点２２４を画定するフレーム２０４のピン又はポストを受領する。駆動ハンドル２０２は、ブロック２２８とこのブロック２２８から延出するレバー２３０を含む。レバー２３０は、レバー２３０をフレーム２０４へ向けて押し込むことによって駆動ハンドル２０２を閉鎖するための梃子を提供する。駆動ハンドル２０２は、全開口位置にある長手軸２１４に関して鋭角で延出することができる。或いは、駆動ハンドル２０２は、駆動ハンドル２０２が全開であるときに、長手軸２１４に関して略直角に延出することができる又は鈍角に延出することができる。
【００２８】
終端処理工具２００は、ラム空洞２２０に収容され且つ駆動ハンドル２０２に連結される主ラムアセンブリ２４０を含む。この主ラムアセンブリ２４０は、終端処理工具２００が使用される時に、電気コネクタ１００に係合し押圧方向２４１へ電気コネクタ１００に抗して押圧するように構成される。終端処理工具２００は、ラム空洞２２０に収容され且つ駆動ハンドル２０２に連結される副ラムアセンブリ２４２を含む。副ラムアセンブリ２４２は、終端処理工具２００の使用中に、電気コネクタ１００に係合し押圧方向２４３へ電気コネクタ１００に抗して押圧する。
【００２９】
駆動ハンドル２０２が開口位置から閉鎖位置へ移動されると、主ラムアセンブリ２４０は、駆動ハンドル２０２によって主ストロークに沿って起動され、副ラムアセンブリ２４２は、駆動ハンドル２０２によって副ストロークに沿って起動される。主ストロークと副ストロークは、駆動ハンドル２０２の一回の閉鎖動作中に互いに異なり、異なる押圧動作を行う。例えば、副ストロークは、主ストロークよりも長く、副ラムアセンブリ２４２は主ラムアセンブリ２４０よりも長いパスを移動される。
【００３０】
例示的実施の形態において、主ラムアセンブリ２４０は、端子１０８（図２と図３に示されている）のコネクタハウジング１０６への挿入に使用され、且つ更に、ストレインリリーフ１２２をコネクタハウジング１０６へ押圧するために使用されることができると共に副ラムアセンブリ２４２がストレインリリーフ１２２をケーブル１０４の回りに圧着するために使用される。端子１０８のコネクタハウジング１０６への挿入は、主ラムアセンブリ２４０の短いストロークを必要とするだけだが、圧着バレル１４０（図４と図５に示されている）のケーブル１０４の回りの形成は、副ラムアセンブリ２４２のより長いストロークを必要とする。
【００３１】
例示的実施の形態において、主ラムアセンブリ２４０と副ラムアセンブリ２４２は、駆動ハンドル２０２の閉鎖中に、異なる速度でラム空洞２２０内へ移動可能である。例えば、ラム空洞２２０内において、主ラムアセンブリ２４０はよりゆっくりと移動でき、且つ副ラムアセンブリ２４２はより迅速に移動できる。
【００３２】
例示的実施の形態において、終端処理工具２００は、コネクタ空洞２２２内に収容されるアンビル２４４を含む。電気コネクタ１００は、アンビル２４４と主と副ラムアセンブリ２４０，２４２の間に位置決めされるように構成される。アンビル２４４は、アンビル押圧表面２４８を含む。電気コネクタ１００は、終端処理工具２００の使用中に、アンビル２４４と主と副ラムアセンブリ２４０，２４２の間で押圧されることができる。アンビル２４４は、ストレインリリーフ１２２を保持するために使用されることができると共に電気コネクタはコネクタ空洞２２２へ装填される。次に、電気コネクタ１００は、終端処理工具２００の使用中に、ストレインリリーフ１２２へ押圧されることができる。或いは、ストレインリリーフ１２２は、一般的に電気コネクタ１００の一部として保持されることができ且つプラグ１０２とケーブル１０４と共にコネクタ空洞２２２内に装填される。ストレインリリーフ１２２は、終端処理工具２００の使用中に、アンビル２４４に抗して押圧されることができる。アンビル２４４は、終端処理工具２００が使用されると、端子１０８（図２と図３に示される）と係合し端子１０８をコネクタハウジング１０６内に押圧するように構成されるインサータ（挿入機）２４６を含む。
【００３３】
例示的実施の形態において、アンビル２４４は、アンビル２４４が交換できるようにコネクタ空洞２２２から除去可能である。例えば、異なる形状又は異なる機構を有するアンビルは、コネクタ空洞２２２へ挿入されて、異なるタイプの電気コネクタ１００を終端処理する、異なるスタイル、サイズ、形状等のストレインリリーフ１２２を収容する及び／又は異なるサイズ、形状、及び／又は数の端子１０８を収容することができる。異なるアンビル２４４は、電気コネクタの回りのシールドや他のコンポーネントのような異なるコンポーネントを電気コネクタ１００へ終端処理するために使用されることができる。
【００３４】
主ラムアセンブリ２４０は、ラム空洞２２０内に移動可能な主ラム２５０を含む。任意ではあるが、主ラム２５０は、長手軸２１４に平行な方向のような、ラム空洞２２０内での線形方向に移動可能であることができる。主ラムアセンブリ２４０は、主ラム２５０の端部に主押圧表面２５２を含む。主押圧表面２５２は、端末処理工具２００の使用中に、電気コネクタ１００と係合し、電気コネクタ１００に抗して押圧する。例示的実施の形態において、主押圧表面２５２は、一般的に端子１０８の反対側でコネクタハウジング１０６と係合してコネクタハウジング１０６をアンビル２４４に向けて押圧する。例示的実施の形態において、主押圧表面２５２は、ラッチ２９０を収容するための開口を含む。
【００３５】
使用中、駆動ハンドル２０２が閉鎖されると、電気コネクタ１００は、アンビル２４４へ向けて押圧される。コネクタハウジング１０６の押圧によって、端子１０８がコネクタハウジング１０６へ押圧されて端子１０８が対応するワイヤ１１０へ終端処理される。例示的実施の形態において、主押圧表面２５２がコネクタハウジング１０６を押圧すると、取り付けタブ１３６（図４と図５に示されている）は、更にコネクタハウジング１０６内へ押圧される。駆動ハンドル２０２が閉鎖位置にある時、本体１３４（図４と図５に示されている）は、コネクタハウジング１０６に抗して押圧され、取り付けタブ１３６は、コネクタハウジング１０６の開口内に装填されてストレインリリーフ１２２をコネクタハウジング１０６へ固定する。
【００３６】
主ラムアセンブリ２４０は、主ラム２５０と駆動ハンドル２０２との間に延出する主駆動リンク２５４を含む。例示的実施の形態において、主駆動リンク２５４は、主ラム２５０に対して回転可能であり、且つ駆動ハンドル２０２に対して回転可能である。駆動ハンドル２０２の開口及び閉鎖中に、主駆動リンク２５４は、平行移動と回転される。主駆動リンク２５４は、駆動ハンドル２０２の回転移動を主ラム２５０の線形移動へ移行させる。主駆動リンク２５４は、主旋回点２５６で駆動ハンドル２０２へ取り付けられる。例示的実施の形態において、主駆動リンク２５４は、駆動ハンドル２０２のピン又はポストを収容する主駆動リンク２５４の端部に最も近接する開口を含む。開口２５８とポストは、主旋回点２５６を画定する。主旋回点２５６は、駆動ハンドル２０２の旋回点２２４から主モーメント距離２６０に位置決めされる。主モーメント距離２６０の長さによって、主ストロークが制御される。
【００３７】
副ラムアセンブリ２４２は、ラム空洞２２０内で移動可能な副ラム２７０を含む。例示的実施の形態において、副ラム２７０は、長手軸２１４に平行な方向のような、ラム空洞２２０内で線形方向へ移動可能である。副ラム２７０は、電気コネクタ１００と係合する副押圧表面２７２を含む。例示的実施の形態において、副押圧表面２７２は、ストレインリリーフ１２２の圧着バレル１４０（図４と図５に示されている）と係合し得る。副押圧表面２７２は、圧着フィンガー１４２（図４と図５に示されている）を収容するクレードル（架台）を含むことができる。クレードルは、端末処理工具２００の起動中に、ケーブル１０４の回りに圧着フィンガー１４２を形成するためにＵ形状であることができる。駆動ハンドル２０２が閉じると、電気コネクタ１００は、アンビル２４４に向かって移動される。ケーブル１０４は、圧着バレル１４０内に着座される。任意ではあるが、ケーブル１０４は、圧着バレル１４０に事前に装填されてもよい。圧着フィンガー１４２は、副押圧表面２７２とケーブル１０４を画定するクレードルによってプレス成形される。駆動ハンドル２０２が閉鎖位置にある時に、圧着フィンガー１４２は、ケーブル１０４の回りに圧着されてストレインリリーフ１２２をケーブル１０４に確実に取り付ける。
【００３８】
副ラムアセンブリ２４２は、動作上副ラム２７０へ連結される調節機構２７４を含む。調節機構２７４は、駆動ハンドル２０２に関して及び／又は旋回点２２４に関して副ラム２７０の相対位置を調節する。調節機構２７４の調節によってストレインリリーフ１２２をケーブル１０４へ圧着するための終端処理工具２００の圧着高さを制御することができる。調節機構２７４は、駆動ブロック２７６、駆動ブロック２７６を貫通して副ラム２７０へ延出する調節シャフト２７８、及び調節シャフト２７８の端部へ連結される調節ノブ２８０を含む。
【００３９】
使用中、調節ノブ２８０の回転によって調節シャフト２７８が回転される。調節シャフト２７８の末端部２８２はねじが切られ、副ラム２７０へ螺合して連結される。調節ノブ２８０と調節シャフト２７８の回転によって駆動ブロック２７６に関して副ラム２７０の位置が制御される。
【００４０】
駆動ブロック２７６は、副駆動リンク２８４によって駆動ハンドル２０２へ連結される。副駆動リンク２８４は、駆動ブロック２７６へ回転可能に連結され、且つ駆動ハンドル２０２へ回転可能に連結される。副駆動リンク２８４は、副旋回点２８６で駆動ハンドル２０２へ連結される。副旋回点２８６は、駆動ハンドル２０２から延出するピン又はポストを収容する副駆動リンク２８４を貫通する開口によって画定されることができる。副駆動リンク２８４は、駆動ハンドル２０２が開口位置と閉鎖位置との間を移動される時にラム空洞２２０内で平行移動と回転の両方を行う。
【００４１】
副モーメント距離２８８は、副旋回点２８６と駆動ハンドル２０２の旋回点２２４との間で画定される。副モーメント距離２８８は、主モーメント距離２６０よりも大きい。副モーメント距離２８８の長さによって、副ストロークが制御される。主モーメント距離２６０よりも長い副モーメント距離２８８を有することによって副ラムアセンブリ２４２が主ラムアセンブリ２４０よりも長いストロークに沿って移動されることができる。主モーメント距離２６０よりも長い副モーメント距離２８８を有することによって主ラムアセンブリ２４０よりも速い速度でラム空洞２２０内において移動されることができる。
【００４２】
異なる主ストロークと副ストロークを有する主ラムアセンブリ２４０と副ラムアセンブリ２４２の両方を有する終端処理工具２００は、単一の押圧動作のみを有する終端処理工具よりもより複雑な押圧及び／又は圧着動作を可能とする。デュアルストローク動作は、単一の駆動ハンドル２０２の単一の閉鎖動作によって提供される。使用中、電気コネクタ１００とストレインリリーフ１２２は、コネクタ空洞２２２内に装填され、且つアンビル２４４と主と副ラム２５０，２７０との間に位置決めされる。駆動ハンドル２０２は、主と副ラムアセンブリ２４０，２４２を駆動するために閉鎖される。
【００４３】
駆動ハンドル２０２を閉鎖することから発生される力は、主駆動リンク２５４を介して主ラム２５０へ伝達され、電気コネクタ１００をアンビル２４４内へ駆動せしめる。アンビル２４４のインサータ２４６は、電気コネクタ１００がアンビル２４４に抗して押し込まれると、事前装填された端子１０８（図２と図３に示されている）をコネクタハウジング１０６内へ挿入する。端子１０８がコネクタハウジング１０６内に押圧されると、端子１０８は、ケーブル１０４の対応するワイヤ１１０へ終端処理される。例えば、端子１０８の終端部が対応するワイヤ１１０に押圧される。
【００４４】
副終端処理プロセスが、終端処理工具２００によって提供されて、ケーブル１０４をプラグ１０２へ固定する。副ラムアセンブリ２４２は、副終端処理プロセスを提供する。副ラム２７０は、ストレインリリーフ１２２をケーブル１０４へ圧着するためにストレインリリーフ１２２の圧着バレル１４０（図４と図５に示されている）を形成するために使用される副押圧表面２７２にプロファイルを有する。副ラム２７０は、副ラム２７０を異なる距離と異なる速度で移動させる主ラム２５０から独立して動く。副ラム２７０は、駆動ハンドル２０２が閉鎖位置から開口位置へ移動されると、主ラム２５０よりも素早く開口されることができ、副ラム２７０をコネクタ空洞２２２から電気コネクタ１００の除去のための道から外へ移動させる。例えば、副ラム２７０は、電気コネクタ１００がコネクタ空洞２２２から放出されると、ラッチ２９０への損傷を防止するために、プラグ１０２のラッチ２９０を過ぎてなくなることが必要である。
【００４５】
副ラムアセンブリ２４２の圧着高さは、調節機構２７４によって制御されることができる。調節機構２７４によって異なるストレインリリーフ１２２を収容するためなどの副ラム２７０の可変線形位置を可能とする。副ラムアセンブリ２４２が主ラムアセンブリ２４０から独立して制御可能であり且つ副ラム２４２が異なる圧着高さに順応するように制御可能であるので、より良好な圧着結果が終端処理工具２００によって達成可能である。他の実施の形態において、主ラムアセンブリ２４０は、追加として、又は別法として、駆動ハンドル２０２に対する主ラム２５０の位置及び駆動ハンドル２０２の旋回点２２４を制御するための調節機構を含むことができる。
【００４６】
上記は、実例であることを意図しており、制限するものではないことを理解すべきである。例えば、上述の実施の形態（及び／又はその態様）は、互いに組み合わされて使用されることができる。更に、多くの変更は、本発明の範囲から逸脱することなく本発明の教示に対して特定の状況や材料を適合するためになされることができる。種々のコンポーネントの寸法、材料のタイプ、向き、及びここで記述される種々のコンポーネントの数及び位置は、特定の実施の形態のパラメータを定義することを意図しており、決して制限するものではなく、例示的実施の形態に過ぎない。請求項の精神と範囲内における多くの他の実施の形態及び変更実施形態は、上記記述を精査すると当業者によって明らかとなる。従って、本発明の範囲は、添付の請求項を参照して、これらの請求項に権利が与えられるのと等価の全範囲と共に決定されるべきである。
【図１】
2014017252.tif 000003
【図２】
2014017252.tif 000004
【図３】
2014017252.tif 000005
【図４】
2014017252.tif 000006
【図５】
2014017252.tif 000007
【図６】
2014017252.tif 000008
【図７】
2014017252.tif 000009
【外国語明細書】
2014017252000001.pdf